(57)【特許請求の範囲】
【請求項１】
表示パネルと、
前記表示パネルの側面に沿ってそれぞれ延びる一対のサイドフレームと、
前記サイドフレームに取り付けられ、前記表示パネルの背面を覆うと共に該背面の周縁部に接触されるバックカバーと、
前記サイドフレームに取り付けられ、前記表示パネルの前面の周縁部を覆うと共に前記バックカバーとの間で前記表示パネルの外周部を挟むフロントカバーと、
一対の前記サイドフレームの各々の上端部から前記表示パネルの上面に沿って該表示パネルの幅方向の中央部側へ延出する上側位置決め部と、
一対の前記サイドフレームの各々の下端部から前記表示パネルの下面に沿って該表示パネルの幅方向の中央部側へ延出する下側位置決め部と、
を備える表示装置。
【請求項２】
前記バックカバーが、プレス成形された金属製のプレス板で形成され、
一対の前記サイドフレームが、前記バックカバーの幅方向の端部に沿ってそれぞれ接着されている、
請求項１に記載の表示装置。
【請求項３】
一対の前記サイドフレームには、前記表示パネルの角部の側面に接触して該表示パネルの幅方向の変位を規制する第１接触面がそれぞれ形成され、
前記上側位置決め部には、前記表示パネルの角部の上面に接触する第２接触面がそれぞれ形成され、
前記下側位置決め部には、前記表示パネルの角部の下面に接触し、前記第２接触面との間で該表示パネルの上下方向の変位を規制する第３接触面がそれぞれ形成されている、
請求項１又は請求項２に記載の表示装置。
【請求項４】
前記バックカバーの上端部に沿って配置されると共に、前記上側位置決め部同士を連結するアッパフレームを備える、
請求項１〜請求項３の何れか１項に記載の表示装置。
【請求項５】
一対の前記サイドフレームが、前記フロントカバー側を開口した開断面形状に形成され、
一対の前記サイドフレームに、前記表示パネルの側面に沿ってケーブルを案内するガイド路が形成されている、
請求項１〜請求項４の何れか１項に記載の表示装置。
【請求項６】
一対の前記サイドフレームには、前記ガイド路へ突出すると共に、該ガイド路に収納されたケーブルよりも前記フロントカバー側に配置される突出部が形成されている、
請求項５に記載の表示装置。
【請求項７】
前記フロントカバーの幅方向の端部には、先端部を該フロントカバーの幅方向の中央部側へ向けた爪部が形成され、
前記サイドフレームにおける前記表示パネルと反対側の外側面には、前記爪部が引っ掛けられる溝部が形成されている、
請求項１〜請求項６の何れか１項に記載の表示装置。
【請求項８】
前記サイドフレームが、前記ガイド路を形成する互いに対向する一対の側壁部を有し、
前記突出部が、対向する一方の前記側壁部から他方の前記側壁部へ向って突出し、
前記フロントカバーには、前記突出部と他方の前記側壁部との隙間に嵌め込まれるリブ部が形成されている、
請求項６に記載の表示装置。
【請求項９】
請求項１〜請求項８の何れか１項に記載の表示装置と、
前記表示装置を開閉可能に支持する本体装置と、
を備える電子機器。
【発明の詳細な説明】
【技術分野】
【０００１】
本願が開示する技術は、表示装置、及び表示装置を備えた電子機器に関する。
【背景技術】
【０００２】
従来から、キーボード等を有する本体装置と、液晶ディスプレイ等の表示パネルを有し、本体装置に開閉可能に支持された表示装置とを備えたノートブック型パーソナルコンピュータ（以下、「ノートパソコン」という）が知られている。表示パネルは、例えば、表示パネルの背面を覆うバックカバーに板金製のブラケットを介して固定される。このブラケットとしては、ケーブルを保持する断面Ｌ字形状の保持部を有するものが知られている。
【０００３】
また、回路基板上のケーブルを保護又はガイドする技術として、断面Ｃ字形状のケーブルカバーやケーブルガイドが知られている。更に、携帯電話機のフレキシブル基板の湾曲変形等を抑制する技術として、フレキシブル基板の端部にアンテナを収納するアンテナカバーを固定したものが知られている。
【先行技術文献】
【特許文献】
【０００４】
【特許文献１】特開２００２−３１２０７０号公報
【特許文献２】特開平１０−９０５２６号公報
【特許文献３】特開２００９−２４６２４８号公報
【特許文献４】特開２００９−１１１６９９号公報
【発明の概要】
【発明が解決しようとする課題】
【０００５】
ところで、表示装置の薄型化を図るために、板状にプレス加工された金属板（以下、「プレス板」という）でバックカバーを形成することが考えられる。
【０００６】
しかしながら、バックカバーをプレス板で形成すると、バックカバーの強度が不足し、表示装置の開閉動作に伴う表示パネルの湾曲変形等が大きくなる可能性がある。
【０００７】
また、プレス加工は細かい形状を作る加工に適しておらず、バックカバーをプレス板で形成すると、バックカバーに対して表示パネルを位置決めするためのリブ等をバックカバーに形成することが困難になる。そのため、バックカバーに対する表示パネルの位置固定ができないという問題がある。
【０００８】
本願が開示する技術は、表示装置の開閉動作に伴う表示パネルの変形を抑制すると共にバックカバーに対する表示パネルを固定しつつ、表示装置の薄型化を図ることを目的とする。
【課題を解決するための手段】
【０００９】
本願が開示する技術によれば、表示装置は、表示パネルと、表示パネルの側面に沿ってそれぞれ延びる一対のサイドフレームとを備えている。一対のサイドフレームには、表示パネルの背面を覆うと共に当該背面の周縁部に接触されるバックカバーが取り付けられる。また、一対のサイドフレームには、表示パネルの前面の周縁部を覆うフロントカバーが取り付けられる。このフロントカバーは、バックカバーとの間で表示パネルの外周部を挟む。また、表示装置は、一対のサイドフレームの各々の上端部から表示パネルの上面に沿って表示パネルの幅方向の中央部側へ延出する上側位置決め部を備えている。更に、表示装置は、一対のサイドフレームの各々の下端部から表示パネルの下面に沿って表示パネルの幅方向の中央部側へ延出する下側位置決め部を備えている。
【発明の効果】
【００１０】
本願が開示する技術によれば、表示装置の開閉動作に伴う表示パネルの変形を抑制すると共にバックカバーに対する表示パネルを固定しつつ、表示装置の薄型化を図ることができる。
【図面の簡単な説明】
【００１１】
【図１】図１は、電子機器の一実施例であるノートパソコンを示す斜視図である。
【図２】図２は、図１に示される表示装置を示す分解斜視図である。
【図３】図３は、図１に示される表示装置のバックカバー及び筐体フレームを示す分解平面図である。
【図４】図４は、図１に示される表示装置のバックカバー及び筐体フレームを示す平面図である。
【図５】図５は、図１に示される表示装置からフロントカバーを外した状態を示す平面図である。
【図６】図６は、図１に示される表示装置を示す平面図である
【図７】図７は、図１に示される表示装置からフロントカバーを外した状態を示す分解斜視図である。
【図８】図８は、図７に示されるサイドフレームを示す平面図である。
【図９】図９は、フロントカバーがサイドフレームに取り付けられた状態を示す、図１に示される表示装置の幅方向に沿った断面図である。
【図１０】図１０は、図１に示されるフロントカバーを前後方向の斜め後側から見た斜視図である。
【図１１】図１１はフロントカバーに形成された爪部及びリブ部を示す図であり、図１１（Ａ）は図１０の拡大斜視図であり、図１１（Ｂ）はフロントカバーを前後方向の後側から見た平面図である。
【図１２】図１２は、フロントカバーがサイドフレームに取り付けられた状態を示す、図１に示される表示装置の幅方向に沿った断面図である。
【発明を実施するための形態】
【００１２】
以下、図面を参照しながら本願が開示する表示装置、及びこの表示装置を備えた電子機器の実施例について説明する。
【００１３】
図１に示されるように、本実施例に係る電子機器の一例としてのノートパソコン１０は、本体装置２０と、本体装置２０の後端部にヒンジユニット（図５参照）を介して矢印Ｒ方向に回転（開閉）可能に支持された表示装置４０とを備えている。この表示装置４０は、本体装置２０の上に重ねられる閉じ位置と、本体装置２０に対して立てられた開き位置との間を変位可能になっている。
【００１４】
なお、図１には、表示装置４０が開き位置に位置した状態が示されている。また、以下では、表示装置４０が開き位置に位置した状態において、図１に示される矢印Ｘ方向を表示装置４０の幅方向の外側（右側）として説明する。これと同様に表示装置４０が開き位置に位置した状態において、矢印Ｙ方向を表示装置４０の上下方向の上側として説明する。更に、表示装置４０が開き位置に位置した状態において、矢印Ｚ方向を表示装置４０の前後方向の後側として説明する。また、矢印Ｚ方向は、本体装置２０の前後方向の後側も示している。
【００１５】
本体装置２０は、箱型形状に形成された筐体２２を有している。筐体２２の内部には、図示しないＣＰＵ（Ｃｅｎｔｒａｌ  Ｐｒｏｃｅｓｓｉｎｇ  Ｕｎｉｔ）等の電子部品が搭載された回路基板（メインボード）が収納されている。また、筐体２２の上面には、キーボード２４等の入力装置や、タッチパッド２６等のポインティングデバイスが設けられている。
【００１６】
表示装置４０は、表示パネル４２と、表示パネル４２を収納する筐体４６とを有している。図２に示されるように、表示パネル４２は、表示装置４０の前後方向から見て全体として矩形形状に形成されており、４つの角部４２Ｋを有している。なお、以下では、表示パネル４２の上部にある２つの角部４２Ｋを上角部４２Ｋ１とし、表示パネル４２の下部にある２つの角部４２Ｋを下角部４２Ｋ２として説明する。
【００１７】
表示パネル４２の前面は、画像や映像等を表示する表示面４２Ａとされている。また、表示パネル４２の下部における幅方向の中間部には、表示パネル４２の下面４２Ｄから後述するロアフレーム７０側へ張り出した張出部４４が設けられている。
【００１８】
筐体４６は、表示パネル４２の表示面４２Ａの外周部を覆うフロントカバー４８と、表示パネル４２の背面４２Ｂを覆うバックカバー５２と、表示パネル４２の外周を囲む筐体フレーム６０とを有している。
【００１９】
フロントカバー４８は、樹脂製の金型成形品（モールド成形品）で枠状に形成されており、その内側から表示パネル４２の表示面４２Ａが露出される。このフロントカバー４８は、表示パネル４２の表示面４２Ａの周縁部を覆う前壁部４８Ａと、前壁部４８Ａの外周部からバックカバー５２側へ立ち上げられた側壁部４８Ｂとを有している。フロントカバー４８の下端部における幅方向の外側の部位には、ヒンジユニット９０（図５参照）を覆うヒンジカバー部５０がそれぞれ設けられている。また、フロントカバー４８は、後述するカメラ装置１００及びアンテナ装置１０６Ａ，１０６Ｂ（図５参照）を前側から覆うようになっている。
【００２０】
バックカバー５２は、薄板状にプレス加工された金属製（例えば、マグネシウム合金）のプレス板で形成されている。本実施例では、バックカバー５２にプレス板を用いることにより、表示装置４０の薄型化及び軽量化が図られている。なお、本実施例では、一例として、板厚が３ｍｍ未満のプレス板が用いられている。バックカバー５２は、表示パネル４２の背面４２Ｂを覆うと共にフロントカバー４８の前壁部４８Ａとの間で表示パネル４２を挟む後壁部５２Ａと、後壁部５２Ａの外周部からフロントカバー４８側へ立ち上げられた側壁部５２Ｂとを有している。
【００２１】
バックカバー５２の幅方向の端部における上端部には、当該上端部から上方へ（矢印Ｙ方向）へ凸状に突出するアンテナカバー取付部５４がそれぞれ設けられている。これらのアンテナカバー取付部５４における後壁部５２Ａには、当該後壁部５２Ａを板厚方向に貫通する取付孔５６がそれぞれ形成されており、後述するアンテナカバー６２が取り付けられる。
【００２２】
筐体フレーム６０は、筐体４６の上部４６Ａ（図１参照）を構成するアッパフレームの一例としてのアンテナカバー６２と、筐体４６の下部４６Ｂを構成するロアフレーム７０と、筐体４６の側部４６Ｃを構成する一対のサイドフレーム７２とを有している。これらのアンテナカバー６２、ロアフレーム７０、及びサイドフレーム７２は、樹脂製の金型成形品（モールド成形品）で形成されており、バックカバー５２の外周部に沿って枠状に配置される。
【００２３】
アンテナカバー６２は、表示装置４０の幅方向を長手方向として配置され、バックカバー５２の上端部に沿って配置される。アンテナカバー６２は、後述するカメラ装置１００及びアンテナ装置１０６Ａ，１０６Ｂを後側から覆う板状の後壁部６２Ａと、後壁部６２Ａの上端部からフロントカバー４８側に立ち上げられた側壁部６２Ｂを有している。
【００２４】
アンテナカバー６２の長手方向の端部側の部位には、ボス部６４がそれぞれ形成されている。ボス部６４は、アンテナカバー６２の後壁部６２Ａからフロントカバー４８側へ立ち上げられており、バックカバー５２のアンテナカバー取付部５４に形成された取付孔５６にバックカバー５２の後側から挿入される。この状態で、各ボス部６４を溶着することにより、アンテナカバー６２がバックカバー５２に固定される。また、アンテナカバー６２における長手方向の端部側の後壁部６２Ａには、ボス部６４に隣接して溶着用突起６８（図３参照）が形成されている。
【００２５】
図３に示されるように、ロアフレーム７０は、表示装置４０の前後方向から見て、全体としてＣ字形状に形成されており、表示装置４０の幅方向を長手方向として配置されている。このロアフレーム７０は、バックカバー５２の下端部に沿って配置される板状のロアフレーム本体部７０Ａを有している。このロアフレーム本体部７０Ａは、その長手方向の全長に渡ってバックカバー５２の後壁部５２Ａに接着テープ等の接着剤で接着される。
【００２６】
また、ロアフレーム本体部７０Ａの長手方向の端部には、アンテナカバー６２側へ延出する板状の延出部７０Ｂがそれぞれ設けられている。延出部７０Ｂは、バックカバー５２の後壁部５２Ａに接着テープ等の接着剤で接着される。これらの延出部７０Ｂの間に、表示パネル４２の張出部４４（図２参照）が配置される。更に、ロアフレーム本体部７０Ａの長手方向の端部には、アンテナカバー６２と反対側（延出部７０Ｂと反対側）へ突出すると共に、ヒンジユニット９０のヒンジ軸９６（図５参照）を後側から覆うヒンジキャップ７０Ｃが設けられている。
【００２７】
一対のサイドフレーム７２は、表示装置４０の前後方向から見て全体としてＣ字形状に形成されており、表示装置４０の上下方向を長手方向とすると共に、表示装置４０の幅方向の中央部に対して線対称に配置されている。これらのサイドフレーム７２は、表示パネル４２の側面４２Ｅに沿って延びるサイドフレーム本体部７４を有している。
【００２８】
サイドフレーム本体部７４は、バックカバー５２の幅方向の端部に沿ってそれぞれ配置され、その長手方向の全長に渡ってバックカバー５２の後壁部５２Ａに接着テープ等の接着剤で接着される。これらのサイドフレーム本体部７４の間に表示パネル４２が配置される。
【００２９】
サイドフレーム本体部７４は、後述するようにフロントカバー４８（図２参照）側を開口した開断面形状に形成されている。サイドフレーム本体部７４の上部における表示パネル４２側の外側面は、表示パネル４２の上部の上角部４２Ｋ１の側面４２Ｅ１（図５参照）に面接触される第１接触面７４Ｓ１とされている。これと同様に、サイドフレーム本体部７４の下部における表示パネル４２側の外側面は、表示パネル４２の下部の下角部４２Ｋ２の側面４２Ｅ２（図５参照）に面接触される第１接触面７４Ｓ２とされている。これらの第１接触面７４Ｓ１，７４Ｓ２によって、表示パネル４２の上角部４２Ｋ１及び下角部４２Ｋ２が挟み込まれ、バックカバー５２に対する表示パネル４２の幅方向の変位が規制される。
【００３０】
サイドフレーム７２の上端部には、表示パネル４２の上面４２Ｃに沿って延びる上側位置決め部７６が形成されている。上側位置決め部７６は、サイドフレーム本体部７４の上端部から表示パネル４２の上面４２Ｃに沿って、表示装置４０の幅方向の中央部側へ延出している。この上側位置決め部７６は、アンテナカバー６２の後壁部６２Ａに重ねられる板状の連結部７６Ａと、連結部７６Ａの表示パネル４２側の端部からフロントカバー４８側へ立ち上げられた規制壁部７６Ｂとを有している。
【００３１】
連結部７６Ａには、アンテナカバー６２に形成された溶着用突起６８と溶着される溶着用突起８０が形成されている。これらの溶着用突起６８，８０を溶着することにより、上側位置決め部７６とアンテナカバー６２とが結合される。つまり、アンテナカバー６２によって、一対のサイドフレーム７２の上側位置決め部７６同士が連結される。
【００３２】
規制壁部７６Ｂは、表示パネル４２の上面４２Ｃに沿って配置され、その表示パネル４２側の壁面が上角部４２Ｋ１の上面４２Ｃ１（図５参照）に面接触される第２接触面７６Ｓとされている。この第２接触面７６Ｓによって、バックカバー５２に対する表示パネル４２のアンテナカバー６２側への変位が規制される。また、第２接触面７６Ｓは、サイドフレーム本体部７４の第１接触面７４Ｓ１に対して直角になっている。
【００３３】
一方、サイドフレーム７２の下端部には、表示パネル４２の下面４２Ｄに沿って延びる下側位置決め部７８が形成されている。下側位置決め部７８は、サイドフレーム本体部７４の下端部から表示パネル４２の下面４２Ｄに沿ってロアフレーム７０の延出部７０Ｂまで延出している。下側位置決め部７８は、バックカバー５２の後壁部５２Ａに接着テープ等の接着剤で固定される板状の固定部７８Ａと、固定部７８Ａの表示パネル４２側の端部からフロントカバー４８側へ立ち上げられた規制壁部７８Ｂとを有している。
【００３４】
規制壁部７８Ｂは、表示パネル４２の下面４２Ｄに沿って配置され、その表示パネル４２側の壁面が下角部４２Ｋ２の下面４２Ｄ１（図５参照）に面接触される第３接触面７８Ｓとされている。この第３接触面７８Ｓによって、バックカバー５２に対する表示パネル４２のアンテナカバー６２側への変位が規制される。また、第３接触面７８Ｓは、サイドフレーム本体部７４の第２接触面７４Ｓ２に対して直角になっている。更に、バックカバー５２の後壁部５２Ａにおける下側位置決め部７８よりも下側の部位は、後述するヒンジユニット９０のブラケット９４（図５参照）が固定されるヒンジユニット取付部８２とされている。
【００３５】
図４に示されるように、アンテナカバー６２、ロアフレーム７０、及び一対のサイドフレーム７２は、バックカバー５２の外周部に沿って配置される。これにより、枠状の筐体フレーム６０が形成される。この筐体フレーム６０の内側に、表示パネル４２（図２参照）が収納される（嵌め込まれる）収納スペース８４が形成される。
【００３６】
収納スペース８４に収納された表示パネル４２は、図５に示されるように、一対のサイドフレーム７２によって、バックカバー５２に対して位置決めされる。即ち、収納スペース８４に表示パネル４２が配置されると、表示パネル４２の上角部４２Ｋ１及び下角部４２Ｋ２の各側面４２Ｅ１，４２Ｅ２に、第１接触面７４Ｓ１，７４Ｓ２がそれぞれ面接触する。これにより、バックカバー５２に対する表示パネル４２の幅方向の変位が規制される。また、表示パネル４２の上角部４２Ｋ１の上面４２Ｃ１に上側位置決め部７６に形成された第２接触面７６Ｓが面接触すると共に、表示パネル４２の下角部４２Ｋ２の下面４２Ｄ１に下側位置決め部７８に形成された第３接触面７８Ｓが面接触する。これにより、バックカバー５２に対する表示パネル４２の上下方向の変位が規制される。
【００３７】
また、バックカバー５２のヒンジユニット取付部８２には、ヒンジユニット９０が固定される。ヒンジユニット９０は、本体装置２０の筐体２２（図１参照）に固定されるヒンジベース９２と、ヒンジユニット取付部８２に接着テープ等の接着剤で接着される板金部品に対してネジ止めされているブラケット９４とを有している。また、ヒンジユニット９０は、ヒンジベース９２とブラケット９４とを回転可能に連結するヒンジ軸９６とを有している。
【００３８】
更に、アンテナカバー６２の長手方向の中央部には、カメラ装置１００が収納される。カメラ装置１００は、表示パネル４２の上面４２Ｃに沿って配置され、アンテナカバー６２の後壁部６２Ａに固定される。カメラ装置１００のレンズ１００Ａは、図６に示されるように、フロントカバー４８に形成された孔１０２から露出しており、表示装置４０の前にいる操作者等を撮影可能になっている。このカメラ装置１００は、ケーブルの一例としてのカメラ用ケーブル１０４によって本体装置２０（図１参照）に収納された図示しない回路基板に電気的に接続されている。
【００３９】
図５に示されるように、カメラ用ケーブル１０４は、カメラ装置１００から表示パネル４２の外周に沿って左回りに配線され、後述するサイドフレーム本体部７４の内部に形成されたガイド路１１０（図７参照）に収納される。ガイド路１１０に収納されたカメラ用ケーブル１０４は、表示パネル４２の下面４２Ｄとヒンジユニット９０のブラケット９４との間へ配線される。表示パネル４２の下面４２Ｄとヒンジユニット９０のブラケット９４との間へ配線されたカメラ用ケーブル１０４は、表示パネル４２の張出部４４とヒンジユニット９０のブラケット９４との間に配線される。表示パネル４２の張出部４４とヒンジユニット９０のブラケット９４との間に配線されたカメラ用ケーブル１０４は、ロアフレーム７０に設けられたヒンジキャップ７０Ｃから本体装置２０（図１参照）へ配線される。
【００４０】
また、アンテナカバー６２におけるカメラ装置１００の外側（矢印Ｘ側）には、無線通信用の２つのアンテナ装置１０６Ａ，１０６Ｂが表示装置４０の幅方向に並べられて収納される。各アンテナ装置１０６Ａ，１０６Ｂは、表示パネル４２の上面４２Ｃに沿って配置され、アンテナカバー６２の後壁部６２Ａに固定される。また、アンテナ装置１０６Ａ，１０６Ｂには、ケーブルの一例としてのアンテナ用ケーブル１０８Ａ，１０８Ｂがそれぞれ接続されている。これらのアンテナ用ケーブル１０８Ａ，１０８Ｂによって、アンテナ用ケーブル１０８Ａ，１０８Ｂが本体装置２０に収納された図示しない回路基板に電気的に接続されている。
【００４１】
アンテナ用ケーブル１０８Ａ，１０８Ｂは、各アンテナ装置１０６Ａ，１０６Ｂから表示パネル４２の外周に沿って右回りに配線され、後述するサイドフレーム本体部７４の内部に形成されたガイド路１１０（図７参照）に収納される。ガイド路１１０に収納されたアンテナ用ケーブル１０８Ａ，１０８Ｂは、表示パネル４２とヒンジユニット９０の間へ配線される。表示パネル４２の下面４２Ｄとヒンジユニット９０のブラケット９４との間へ配線されたアンテナ用ケーブル１０８Ａ，１０８Ｂは、表示パネル４２の張出部４４とヒンジユニット９０のブラケット９４との間に配線される。表示パネル４２の張出部４４とヒンジユニット９０のブラケット９４との間に配線されたアンテナ用ケーブル１０８Ａ，１０８Ｂは、ロアフレーム７０に設けられたヒンジキャップ７０Ｃから本体装置２０（図１参照）へ配線される。
【００４２】
なお、カメラ装置１００及びアンテナ装置１０６Ａ，１０６Ｂは、ケーブルの一例としてのカメラ用ケーブル１０４又はアンテナ用ケーブル１０８Ａ，１０８Ｂを介して本体装置２０の回路基板に電気的に接続される内蔵部品の一例である。
【００４３】
ここで、サイドフレーム７２のサイドフレーム本体部７４の構成について詳説すると共に、サイドフレーム本体部７４に対するフロントカバー４８の取付構造について説明する。なお、一対のサイドフレーム本体部７４は同じ構成であるため、表示パネル４２の右側の側面４２Ｅに沿って配置されたサイドフレーム本体部７４の構成についてのみ詳説する。
【００４４】
図７に示されるように、サイドフレーム７２のサイドフレーム本体部７４は、開口をフロントカバー４８に向けた開断面形状（断面Ｃ字形状）に形成されており、表示パネル４２の右側の側面４２Ｅに沿って配置されている。このサイドフレーム本体部７４は、バックカバー５２の後壁部５２Ａに固定される底壁部７４Ａを有している。また、サイドフレーム本体部７４は、底壁部７４Ａの表示パネル４２側の端部から立ち上げられた側壁部７４Ｂと、底壁部７４Ａの表示パネル４２と反対側の端部から立ち上げられた側壁部７４Ｃとを有している。
【００４５】
サイドフレーム本体部７４における互いに対向する一対の側壁部７４Ｂと側壁部７４Ｃとの間には、２本のアンテナ用ケーブル１０８Ａ，１０８Ｂが表示装置４０の前後方向に並んで収納されるガイド路１１０が形成されている。このガイド路１１０によって、アンテナ用ケーブル１０８Ａ，１０８Ｂが表示パネル４２の側面４２Ｅに沿って案内される。
【００４６】
サイドフレーム本体部７４の各側壁部７４Ｂ，７４Ｃには、ガイド路１１０へ突出し、ガイド路１１０からのアンテナ用ケーブル１０８Ａ，１０８Ｂの脱落を抑制する突出部１１２Ａ，１１２Ｂがそれぞれ形成されている。突出部１１２Ａは、対向する一方の側壁部７４Ｂにおけるフロントカバー４８側の端部から、対向する他方の側壁部７４Ｃへ向けて突出している。この突出部１１２Ａとサイドフレーム本体部７４の底壁部７４Ａとの間に２本のアンテナ用ケーブル１０８Ａ，１０８Ｂが収納されている。これと同様に、突出部１１２Ｂは、対向する他方の側壁部７４Ｃにおけるフロントカバー４８側の端部から、対向する一方の側壁部７４Ｂへ向けて突出している。この突出部１１２Ｂとサイドフレーム本体部７４の底壁部７４Ａとの間に、２本のアンテナ用ケーブル１０８Ａ，１０８Ｂが収納されている。
【００４７】
図８に示されるように、突出部１１２Ａ，１１２Ｂは、サイドフレーム本体部７４の長手方向にずれて交互に配置されており、ガイド路１１０へアンテナ用ケーブル１０８Ａ，１０８Ｂを収納し易くなっている。また、突出部１１２Ａの突出方向の先端部１１２Ａ１とサイドフレーム本体部７４の他方の側壁部７４Ｃとの間には、隙間Ｈ１が形成されている。これと同様に、突出部１１２Ｂの突出方向の先端部１１２Ｂ１とサイドフレーム本体部７４の一方の側壁部７４Ｂとの間には、隙間Ｈ２が形成されている。これらの隙間Ｈ１，Ｈ２には、後述するフロントカバー４８のリブ部１２２Ａ，１２２Ｂが嵌め込まれる。なお、サイドフレーム本体部７４の底壁部７４Ａには、軽量化のための開口１１４が適宜形成されている。
【００４８】
図７に示されるように、サイドフレーム本体部７４における表示パネル４２と反対側の側壁部７４Ｃの外側面７４Ｃ１には、溝部１１６が形成されている。この溝部１１６は、サイドフレームの長手方向の延びる長溝とされている。この溝部１１６の天壁は、後述するフロントカバー４８の爪部１１８の係止面１１８Ａが係止される被係止面１１６Ａとされている。なお、サイドフレーム本体部７４の側壁部７４Ｂにおける溝部１１６と対向する部位には、開口１２０が形成されている。
【００４９】
フロントカバー４８の幅方向の端部には爪部１１８が形成されている。爪部１１８は、フロントカバー４８の側壁部４８Ｂにおけるバックカバー５２側の端部からフロントカバー４８の幅方向の中央部側へ向けて突出している。爪部１１８のフロントカバー４８側の面は、フロントカバー４８の前壁部４８Ａと平行する係止面１１８Ａとされている。この爪部１１８の係止面１１８Ａは、図９に示されるように、サイドフレーム本体部７４の溝部１１６の被係止面１１６Ａに係止される。これにより、サイドフレーム本体部７４にフロントカバー４８が取り付けられる。
【００５０】
図１０に示されるように、フロントカバー４８の前壁部４８Ａには、複数のリブ部１２２Ａ，１２２Ｂが形成されている。図１１（Ａ）に示されるように、各リブ部１２２Ａ，１２２Ｂは、表示装置４０の前後方向から見てＥ字形状に形成されると共に、フロントカバー４８の側壁部４８Ｂに隣接して配置されている。また、各リブ部１２２Ａ，１２２Ｂは、図１１（Ｂ）に示されるように、フロントカバー４８の上下方向に延びると共に、サイドフレーム本体部７４に形成された隙間Ｈ１，Ｈ２に応じて、フロントカバー４８の幅方向にずれて配置されている。これにより、フロントカバー４８の爪部１１８の係止面１１８Ａをサイドフレーム本体部７４の溝部１１６の被係止面１１６Ａに係止したときに、図１２に示されるようにリブ部１２２Ｂがサイドフレーム本体部７４の隙間Ｈ２に嵌め込まれる。
【００５１】
次に、本実施例の作用について説明する。
【００５２】
本実施例では、バックカバー５２がプレス板で形成されている。これにより、表示装置４０の薄型化及び軽量を図ることができる。
【００５３】
一方、バックカバー５２を薄肉のプレス板で形成すると、バックカバー５２の剛性が低下し、表示装置４０の開閉動作に伴う表示パネル４２の湾曲変形等が大きくなる可能性がある。
【００５４】
これに対して本実施例では、図５に示されるように、表示装置４０の筐体４６の側部４６Ｃ（図１参照）にサイドフレーム７２がそれぞれ配置されている。これらのサイドフレーム７２のサイドフレーム本体部７４は、バックカバー５２の幅方向の端部に沿って配置され、長手方向の全長に渡ってバックカバー５２の後壁部５２Ａに接着されている。このサイドフレーム本体部７４によって筐体４６の側部４６Ｃの剛性が確保されている。これにより、バックカバー５２を薄肉のプレス板で形成しても、本体装置２０（図１参照）に対する表示装置４０の開閉動作に伴う表示パネル４２の湾曲変形等が抑制される。従って、表示装置４０の開閉動作に伴う表示パネル４２の湾曲変形等を抑制しつつ、表示装置４０の薄型化を図ることができる。
【００５５】
また、サイドフレーム７２の上端部には、上側位置決め部７６が形成されている。この上側位置決め部７６は、バックカバー５２の上端部に取り付けられたアンテナカバー６２の長手方向の端部に重ねられており、溶着によってアンテナカバー６２と結合されている。即ち、一対のサイドフレーム７２は、アンテナカバー６２によって連結されている。これにより、アンテナカバー６２によって一対のサイドフレーム７２が連結されていない構成と比較して、筐体４６の側部４６Ｃの剛性が高くなる。更に、バックカバー５２の上端部にアンテナカバー６２を取り付けたことにより、筐体４６の上部４６Ａ（図１参照）の剛性が確保される。従って、表示装置４０の開閉動作に伴う表示パネル４２の湾曲変形等が更に抑制される。
【００５６】
また、筐体４６の下部４６Ｂ（図１参照）には、ロアフレーム７０が設けられている。ロアフレーム７０のロアフレーム本体部７０Ａは、バックカバー５２の下端部に沿って配置され、長手方向の全長に渡ってバックカバー５２の後壁部５２Ａに接着されている。これにより、筐体４６の下部４６Ｂの剛性が確保される。
【００５７】
また、ロアフレーム本体部７０Ａの長手方向の両端部には、アンテナカバー側へ延出する延出部７０Ｂが設けられている。この延出部７０Ｂは、サイドフレーム７２の下側位置決め部７８に隣接して配置されている。これにより、延出部７０Ｂがサイドフレーム７２の下側位置決め部７８に隣接しない構成と比較して、筐体４６の側部４６Ｃの剛性が高くなる。従って、表示装置４０の開閉動作に伴う表示パネル４２の湾曲変形等が更に抑制される。
【００５８】
ところで、プレス加工は、細かい形状をつくる加工に適していない。従って、バックカバー５２をプレス板で形成した場合は、バックカバー５２に対して表示パネル４２を位置決めするためのリブ等をバックカバー５２に形成することが困難になる。
【００５９】
これに対して本実施例では、サイドフレーム本体部７４が、表示パネル４２の側面に沿ってそれぞれ配置されている。各サイドフレーム本体部７４の上部には、表示パネル４２の上角部４２Ｋ１の側面４２Ｅ１に面接触する第１接触面７４Ｓ１が形成されている。また、各サイドフレーム本体部７４の下部には、表示パネル４２の下角部４２Ｋ２の側面４２Ｅ２に面接触する第１接触面７４Ｓ２が形成されている。これらの第１接触面７４Ｓ１，７４Ｓ２によって、表示パネル４２の上角部４２Ｋ１及び下角部４２Ｋ２を幅方向の両側から挟むことにより、バックカバー５２に対する表示パネル４２の幅方向の変位が規制される。
【００６０】
また、サイドフレーム７２の上端部には、表示パネル４２の上面４２Ｃに沿って延びる上側位置決め部７６が形成されている。この上側位置決め部７６には、表示パネル４２の上角部４２Ｋ１の上面４２Ｃ１に面接触する第２接触面７６Ｓが形成されている。また、サイドフレーム７２の下端部には、表示パネル４２の下面４２Ｄに沿って延びる下側位置決め部７８が形成されている。この下側位置決め部７８には、表示パネル４２の下角部４２Ｋ２の下面４２Ｄ１に面接触する第３接触面７８Ｓが形成されている。これらの第２接触面７６Ｓ及び第３接触面７８Ｓによって上下方向の両側から表示パネル４２を挟むことにより、バックカバー５２に対する表示パネル４２の上下方向の変位が規制される。
【００６１】
このように本実施例では、筐体４６の側部４６Ｃを構成するサイドフレーム７２に第１接触面７４Ｓ１，７４Ｓ２、第２接触面７６Ｓ、及び第３接触面７８Ｓを形成することにより、バックカバー５２に対する表示パネル４２の位置ずれが抑制される。更に、第１接触面７４Ｓ１，７４Ｓ２等によって表示パネル４２の上角部４２Ｋ１及び下角部４２Ｋ２の変位を規制することにより、表示パネル４２の角部４２Ｋ以外の部位の変位を規制する構成と比較して、表示パネル４２の位置ずれが抑制される。
【００６２】
また、プレス加工は、複雑な形状の加工に適していない。従って、バックカバー５２をプレス板で形成した場合は、バックカバー５２にアンテナ用ケーブル１０８Ａ，１０８Ｂ等を保持し、又は案内するクランプやガイドを形成することが困難になる。この場合、バックカバー５２にアンテナ用ケーブル１０８Ａ，１０８Ｂ等をテープ等で固定することが考えられる。しかしながら、バックカバー５２にアンテナ用ケーブル１０８Ａ，１０８Ｂ等をテープ等で固定すると、表示装置４０の組立作業が煩雑化し、表示装置４０の生産性が低下する可能性がある。
【００６３】
これに対して本実施例では、図７に示されるように、サイドフレーム本体部７４に、アンテナ用ケーブル１０８Ａ，１０８Ｂ等を案内するガイド路１１０が形成されている。従って、バックカバー５２にアンテナ用ケーブル１０８Ａ，１０８Ｂ等をテープ等で固定する必要がないため、表示装置４０の組立性が向上する。
【００６４】
また、ガイド路１１０にアンテナ用ケーブル１０８Ａ，１０８Ｂ等を収納することにより、表示パネル４２の側面４２Ｅに沿ってアンテナ用ケーブル１０８Ａ，１０８Ｂ等を配線することができる。従って、表示パネル４２の背面４２Ｂ（図２参照）とバックカバー５２との間にアンテナ用ケーブル１０８Ａ，１０８Ｂ等を配線する構成と比較して、表示装置４０の薄型化を図ることができる。
【００６５】
また、サイドフレーム本体部７４の各側壁部７４Ｂ，７４Ｃには、ガイド路１１０へ突出すると共に、ガイド路１１０に収納されたアンテナ用ケーブル１０８Ａ，１０８Ｂのフロントカバー４８側に配置される突出部１１２Ａ，１１２Ｂが形成されている。これらの突出部１１２Ａ，１１２Ｂによって、ガイド路１１０からのアンテナ用ケーブル１０８Ａ，１０８Ｂ等の脱落が抑制される。
【００６６】
更に、前述したように、プレス加工は複雑な形状の加工に適していないため、フロントカバー４８の爪部１１８を係止するための溝部をバックカバー５２に形成することが困難になる。また、プレス板で形成されたバックカバー５２には、表示パネル４２をビス等で固定するためのネジ孔等を形成することが難しい。
【００６７】
これに対して本実施例では、図９に示されるように、サイドフレーム本体部７４の側壁部７４Ｃの外側面７４Ｃ１に溝部１１６が形成されている。この溝部１１６の被係止面１１６Ａにフロントカバー４８に形成された爪部１１８の係止面１１８Ａを係止することにより、サイドフレーム本体部７４に対してフロントカバー４８が固定される。また、溝部１１６の被係止面１１６Ａにフロントカバー４８の爪部１１８の係止面１１８Ａを係止することにより、サイドフレーム７２を介してバックカバー５２とフロントカバー４８とが連結される。これにより、バックカバー５２及びフロントカバー４８によって表示パネル４２が前後方向の両側から挟み込まれ、バックカバー５２に対する表示パネル４２の前後方向の変位が規制される。
【００６８】
更に、溝部１１６の被係止面１１６Ａにフロントカバー４８の爪部１１８の係止面１１８Ａを係止されると、以下のようになる。即ち、図１２に示されるようにサイドフレーム本体部７４の他方の側壁部７４Ｃから突出する突出部１１２Ｂの先端部１１２Ｂ１とサイドフレーム本体部７４の一方の側壁部７４Ｂとの間の隙間Ｈ２にフロントカバー４８に形成されたリブ部１２２Ｂが嵌め込まれる。これにより、サイドフレーム本体部７４に対するフロントカバー４８の幅方向の位置ずれが抑制される。また、フロントカバー４８が湾曲変形等したときに、突出部１１２Ｂの先端部１１２Ｂ１又はサイドフレーム本体部７４の一方の側壁部７４Ｂにリブ部１２２Ｂが接触する。これにより、フロントカバー４８の幅方向の端部の湾曲変形等が抑制され、サイドフレーム本体部７４に対するフロントカバー４８の幅方向の端部の浮き上がりが抑制される。この結果、フロントカバー４８の爪部１１８の係止面１１８Ａがサイドフレーム本体部７４の溝部１１６の被係止面１１６Ａから外れることが抑制される。従って、サイドフレーム本体部７４からのフロントカバー４８の脱落が抑制される。
【００６９】
なお、図示を省略するが、溝部１１６の被係止面１１６Ａにフロントカバー４８の爪部１１８の係止面１１８Ａを係止されると、以下のようになる。即ち、サイドフレーム本体部７４の一方の側壁部７４Ｂから突出する突出部１１２Ａの先端部１１２Ａ１と、サイドフレーム本体部７４の他方の側壁部７４Ｃとの間の隙間Ｈ１（図８参照）にフロントカバー４８に形成された突出部１１２Ａが嵌め込まれる。これにより、サイドフレーム本体部７４からのフロントカバー４８の脱落が更に抑制される。
【００７０】
更に、前述したように、本実施例におけるサイドフレーム７２には、バックカバー５２に対して表示パネル４２を位置決めする第１接触面７４Ｓ１，７４Ｓ２、第２接触面７６Ｓ、及び第３接触面７８Ｓが形成されている。また、サイドフレーム７２には、アンテナ用ケーブル１０８Ａ，１０８Ｂ等を案内するガイド路１１０が形成されている。更に、サイドフレーム７２には、フロントカバー４８を固定するための溝部１１６が形成されている。このように筐体４６の側部４６Ｃの骨格を構成するサイドフレーム７２に各種の機能を集約することにより、これらの各種の機能を別々の部品で実現する場合と比較して、部品点数が削減される。従って、表示装置４０の組立性が向上する。
【００７１】
次に、上記実施例の変形例について説明する。
【００７２】
上記実施例では、サイドフレーム本体部７４の上部に第１接触面７４Ｓ１が形成されており、サイドフレーム本体部７４の下部に第１接触面７４Ｓ２が形成されているが、これに限らない。第１接触面７４Ｓ１，７４Ｓ２は、バックカバー５２に対する表示パネル４２の幅方向の変位を規制可能であれば良く、例えば、サイドフレーム本体部７４の長手方向の中間部に第１接触面を形成しても良い。また、例えば、サイドフレーム本体部７４の長手方向の全長に渡って第１接触面を形成しても良い。
【００７３】
また、上記実施例では、サイドフレーム本体部７４に第１接触面７４Ｓ１，７４Ｓ２を形成したが、これらの第１接触面７４Ｓ１，７４Ｓ２に替えて、例えば、表示パネル４２の側面４２Ｅに接触するリブ等を形成しても良い。上側位置決め部７６及び下側位置決め部７８についても同様である。
【００７４】
また、上記実施例では、サイドフレーム本体部７４がその長手方向の全長に渡ってバックカバー５２の後壁部５２Ａに接着されているが、バックカバー５２の後壁部５２Ａに対するサイドフレーム本体部７４の接着範囲は適宜変更可能である。また、例えば、サイドフレーム７２に対してバックカバー５２をビス等で固定しても良い。
【００７５】
更に、上記実施例では、アンテナカバー６２によって一対のサイドフレーム７２の上側位置決め部７６同士が連結されているが、これに限らない。一対のサイドフレーム７２は、必要に応じてアンテナカバー６２等で連結すれば良く、必ずしも連結する必要はない。
【００７６】
また、上記実施例ではサイドフレーム本体部７４のガイド路１１０にアンテナ用ケーブル１０８Ａ等を収納したが、例えば表示装置４０に収納されたマイク、スピーカ又は赤外線通信装置から本体装置２０へ渡るケーブルをガイド路１１０に収納しても良い。また、サイドフレーム本体部７４に形成されたガイド路１１０及び突出部１１２Ａ，１１２Ｂは適宜省略可能である。特に、カメラ装置１００等の内蔵部品を備えないノートパソコンでは、ガイド路１１０は不要となる。
【００７７】
更に、上記実施例では、サイドフレーム本体部７４に形成された溝部１１６の被係止面１１６Ａにフロントカバー４８に形成された爪部１１８を引っ掛けることにより、サイドフレーム７２にフロントカバー４８を取り付けたが、これに限らない。例えば、フロントカバー４８をビス等でサイドフレーム７２に取り付けても良い。また、フロントカバー４８に形成されたリブ部１２２Ａ，１２２Ｂは、適宜省略可能である。
【００７８】
また、上記実施例では、アンテナカバー６２、サイドフレーム７２、及びロアフレーム７０を樹脂製の金型成形品で形成したが、これらのアンテナカバー６２、サイドフレーム７２、及びロアフレーム７０を金属製の金型成形品で形成することも可能である。
【００７９】
また、上記実施例では、バックカバー５２をプレス板で形成したが、プレス加工ではない金属板や、樹脂製又は金属製の金型成形品でバックカバー５２を形成することも可能である。
【００８０】
更に、上記実施例では、電子機器の一例として、ノートパソコン１０を例に説明したが、上記実施例は、例えば、携帯電話、携帯用のＤＶＤプレーヤー、電子辞書等の電子機器にも適用可能である。
【００８１】
以上、本願が開示する技術の一実施例について説明したが、本願が開示する技術は上記の実施例に限定されるものでない。また、上記実施例及び各種の変形例を適宜組み合わせて用いても良いし、本願が開示する技術の要旨を逸脱しない範囲において、種々なる態様で実施し得ることは勿論である。
【符号の説明】
【００８２】
１０      ノートパソコン（電子機器の一例）
２０      本体装置
４０      表示装置
４２      表示パネル
４２Ａ    表示パネルの前面
４２Ｂ    表示パネルの背面
４２Ｃ    表示パネルの上面
４２Ｄ    表示パネルの下面
４２Ｅ    表示パネルの側面
４２Ｋ１  上角部（角部の一例）
４２Ｃ１  上角部の上面（角部の上面の一例）
４２Ｅ１  上角部の側面（角部の側面の一例）
４２Ｋ２  下角部（角部の一例）
４２Ｄ１  下角部の下面（角部の下面の一例）
４２Ｅ２  下角部の側面（角部の側面の一例）
４８      フロントカバー
５２      バックカバー
６２      アンテナカバー（アッパフレームの一例）
７２      サイドフレーム
７４Ｂ    側壁部
７４Ｃ    側壁部
７４Ｃ１  外側面
７４Ｓ１  第１接触面
７４Ｓ２  第１接触面
７６      上側位置決め部
７６Ｓ    第２接触面
７８      下側位置決め部
７８Ｓ    第３接触面
１０４    カメラ用ケーブル（ケーブルの一例）
１０８Ａ  アンテナ用ケーブル（ケーブルの一例）
１０８Ｂ  アンテナ用ケーブル（ケーブルの一例）
１１０    ガイド路
１１２Ａ  突出部
１１２Ｂ  突出部
１１６    溝部
１１８    爪部
１２２Ａ  リブ部
１２２Ｂ  リブ部
【図１】
0005935282.tif 000002
【図２】
0005935282.tif 000003
【図３】
0005935282.tif 000004
【図４】
0005935282.tif 000005
【図５】
0005935282.tif 000006
【図６】
0005935282.tif 000007
【図７】
0005935282.tif 000008
【図８】
0005935282.tif 000009
【図９】
0005935282.tif 000010
【図１０】
0005935282.tif 000011
【図１１】
0005935282.tif 000012
【図１２】
0005935282.tif 000013